(57)【要約】【課題】  定型防水面材を用いた防水床部の改修方法であって、既存の防水床部と同じ防水仕様で施工することができ、改修工事自体をより容易にすることができるとともに、防水性能への信頼性を高めることができる防水床部の改修方法を提供する。【解決手段】防水床部の改修方法は、所定形状に形成され床下地３上に敷設された既設防水面材２の上に、新設防水面材４を重ねて施工する防水床部の改修方法であって、既設防水面材２の上から前記床下地３にビス７を打って、前記既設防水面材３と前記床下地３とを接合し、前記既設防水面材２の上に、当該既設防水面材２と略同一形状の新設防水面材４を嵌め合わせる。【選択図】図１
2018071140.tif 000002
【特許請求の範囲】
【請求項１】
所定形状に形成され床下地上に敷設された既設防水面材が設けられる既設の防水床部の上に、新設防水面材を重ねて施工する防水床部の改修方法であって、
前記既設防水面材の上から前記床下地にビスを打って、前記既設防水面材と前記床下地とを接合し、
前記既設防水面材の上に、当該既設防水面材と略同一形状の前記新設防水面材を嵌め合わせることを特徴とする防水床部の改修方法。
【請求項２】
前記既設の防水床部は、前記床下地上に複数の前記既設防水面材が敷設されており、互いに隣接する前記既設防水面材の目地部に沿って上方から既設帯状防水シートが前記既設防水面材の隣り合う縁部に跨って固着されたものであり、
当該既設防水面材の上面の前記既設帯状防水シートが固着された位置と異なる位置に、当該既設帯状防水シートと略同じ厚さの不陸調整用帯状シートを新たに固着することを特徴とする請求項１に記載の防水床部の改修方法。
【請求項３】
前記不陸調整用帯状シートを、前記既設帯状防水シートが固着された位置を挟んで両側に固着することを特徴とする請求項２に記載の防水床部の改修方法。
【請求項４】
前記既設の防水床部は、前記既設防水面材の側縁に既設横樋が設けられたものであり、
当該既設横樋の上に新設横樋を設置するとともに、
前記新設横樋に形成される新設ドレイン口が前記既設横樋の既設ドレイン口と整合しており、
フランジを有するドレイン管を上方から前記新設ドレイン口と前記既設ドレイン口に挿入して固定することを特徴とする請求項１から請求項３のいずれかに記載の防水床部の改修方法。
【発明の詳細な説明】
【技術分野】
【０００１】
本発明は、主として、ルーフバルコニー、ルーフガーデン、共同住宅の外廊下などの建築物の屋外に形成され風雨に曝される屋外床のように、防水性能を必要とする防水床部の改修方法に関する。
【背景技術】
【０００２】
従来の防水床部としては、床構造材上に複数枚の板材を配置して床下地を形成し、この床下地上にならしモルタル層を設けて排水勾配を形成し、このモルタル層の上に複数枚の防水シートを接着剤で固着する、といった方法等が挙げられる。
【０００３】
しかし、上述の防水床部は、施工の際に防水シートを接着する専門職人が必要であり、また、排水勾配を形成する際に正確な左官作業が必要であるなど、防水工事に手間と時間を要していた。
【０００４】
そこで、より少ない工程で、外装職人が作業することができ、作業員の削減や工事期間の短縮を行い得る防水床部として、所定形状に加工された定型防水面材の表面に防水層を設けて下地上に互いを隣り合わせつつ敷設し、その隣り合う定型防水面材の間の目地部分に当該定型防水面材の縁部に跨るように帯状防水シートを固着して形成された防水床部が提案されている。（例えば特許文献１）
【先行技術文献】
【特許文献】
【０００５】
【特許文献１】特開平１１−２２２９２０号公報
【発明の概要】
【発明が解決しようとする課題】
【０００６】
しかし、上述のような定型防水面材を用いた防水床部においては、経年劣化などによる防水性能の低下があった場合などに当該防水床部を改修する場合、既設防水面材の上に複数枚の防水シートを接着剤で固着する、といった改修方法が行われており、防水シートを接着する専門職人によって防水床部の全面に防水シートを固着するため改修作業に時間がかかる問題があった。また、定型防水面材による防水仕様と異なる防水シートによる防水仕様が重ねあわされるので、異なる２つの防水仕様が想定外の悪影響を及ぼし、例えば漏水などの不具合が発生するおそれがある。また、既存の防水仕様と、改修の防水仕様とが、異なる工事の業種の職人によって施工されることになるため、後に漏水などの不具合が発生した場合に、責任の所在が不明確になるおそれがある。
【０００７】
そこで本発明は、定型防水面材を用いた防水床部の改修方法であって、既存の防水床部と同じ防水仕様で施工することができ、改修工事自体をより容易にすることができるとともに、防水性能への信頼性を高めることができる防水床部の改修方法を提供することを目的とする。
【課題を解決するための手段】
【０００８】
本発明の防水床部の改修方法は、所定形状に形成され床下地上に敷設された既設防水面材が設けられる既設の防水床部の上に、新設防水面材を重ねて施工する防水床部の改修方法であって、前記既設防水面材の上から前記床下地にビスを打って、前記既設防水面材と前記床下地とを接合し、前記既設防水面材の上に、当該既設防水面材と略同一形状の前記新設防水面材を嵌め合わせることを特徴としている。
【０００９】
本発明の防水床部の改修方法は、前記既設の防水床部は、前記床下地上に複数の前記既設防水面材が敷設されており、互いに隣接する前記既設防水面材の目地部に沿って上方から既設帯状防水シートが前記既設防水面材の隣り合う縁部に跨って固着されたものであり、当該既設防水面材の上面の前記既設帯状防水シートが固着された位置と異なる位置に、当該既設帯状防水シートと略同じ厚さの不陸調整用帯状シートを新たに固着することを特徴としている。
【００１０】
本発明の防水床部の改修方法は、前記不陸調整用帯状シートを、前記既設帯状防水シートが固着された位置を挟んで両側に固着することを特徴としている。
【００１１】
本発明の防水床部の改修方法は、前記既設の防水床部は、前記既設防水面材の側縁に既設横樋が設けられたものであり、当該既設横樋の上に新設横樋を設置するとともに、前記新設横樋に形成される新設ドレイン口が前記既設横樋の既設ドレイン口と整合しており、フランジを有するドレイン管を上方から前記新設ドレイン口と前記既設ドレイン口に挿入して固定することを特徴としている。
【発明の効果】
【００１２】
本発明の防水床部の改修方法によると、所定形状に形成され床下地上に敷設された既設防水面材の上に、新設防水面材を重ねて施工する防水床部の改修方法であるので、同じ防水仕様が重ねあわされており、異種の防水仕様のように防水性能に想定外の影響を及ぼすおそれがなく、防水性能への信頼性を高めることができる。また、同種の防水仕様を重ね合わせることで、既設の防水床部と同じ工事の業種の職人によって施工されることになるため、後に漏水などの不具合が発生した場合の責任の所在が明確になる。また、既設防水面材の上から前記床下地にビスを打って、既設防水面材と床下地とを接合するので、既設防水面材は、床下地と一体化することになり、新設防水面材を固定する際に床下地としての役割を果たすことができる。なお、既設防水面材はビスが貫通したとしても新設防水面材で防水しているので、防水性能に問題が生じることもない。また、既設防水面材の上に、既設防水面材と略同一形状の新設防水面材を嵌め合わせているので、新たに別途改修用の定型防水面材を製造する必要がなく、部材のコストを下げることができる。
【００１３】
本発明の防水床部の改修方法によると、既設防水面材の上面に既設帯状防水シートが固着された位置と異なる位置に、当該既設帯状防水シートと略同じ厚さの不陸調整用帯状シートを新たに固着するので、新設防水面材の下面が既設帯状防水シート及び不陸調整用帯状シートの上に載置されることとなり、新設防水面材の既設帯状防水シートの上となる部分だけが高くなる不陸が生じることを抑制でき、また、既設帯状防水シートを剥がす必要がないので改修工事をより容易なものとすることができる。
【００１４】
本発明の防水床部の改修方法によると、不陸調整用帯状シートを、既設帯状防水シートが固着された位置を挟んで両側に固着するので不陸の発生をより確実に抑制できる。
【００１５】
本発明の防水床部の改修方法によると、新設横樋に形成される新設ドレイン口が既設横樋の既設ドレイン口と整合し、フランジを有するドレイン管を上方から新設ドレイン口と既設ドレイン口に挿入して固定するので、ドレイン口周りの改修が容易であり、且つ、既設の竪樋などの既設ドレイン配管に確実に連通させることができる。
【図面の簡単な説明】
【００１６】
【図１】既設の防水床部の全体構成を示す斜視図。
【図２】既設防水面材の目地部及び樋目地部の防水構造を説明する斜視図。
【図３】既設の防水床部から床下地にビスを打ち込むとともに、不陸調整用帯状シートを貼り付けた状態を示す図。
【図４】新設防水面材の構成及び新設横樋の構成を説明する図。
【図５】新設防水面材及び新設横樋を既設の防水床部の上にはめ込む状態を示す図。
【図６】新設防水面材をリベットで既設防水面材に固定する状態を示す図。
【図７】新設防水面材の目地部及び樋目地部に新設帯状防水シートを貼り付けるとともに、樋目地部の接合箇所に成形防水シートを貼り付ける状態を示す図。
【図８】既設横樋及び新設横樋のドレイン口にドレイン管を挿入する状態を示す図。
【発明を実施するための形態】
【００１７】
以下、本発明の防水床部の改修方法の最良の実施形態について、各図を参照しつつ説明する。防水床部の改修方法は、平板状で防水床部１の縁となる部分に立ち上がり部２１が形成された形状の既設防水面材２を床下地３上に配置して形成された防水床部１を改修する方法である。防水床部１は、例えば、ルーフバルコニー、ルーフガーデン、共同住宅の外廊下などのように建築物の屋外に形成され風雨に曝される屋外床である。なお、防水床部１は防水性能が必要な床部であれば、屋外に限定されることなく屋内に設けられる床部であっても良い。
【００１８】
防水床部の改修方法は、既設防水面材２の上に新設防水面材４を重ねて施工する改修方法である。まず、改修前の既設の防水床部１について、図１を参照しつつ説明する。既設の防水床部１は、床下地３上に既設防水面材２が設置されるとともに、既設防水面材２の側縁に既設横樋５が設置される構成である。
【００１９】
既設防水面材２は、図１に示すように、表面に防水層が形成された鋼製薄板であり、壁下地６が形成されている側の端部に立ち上がり部２１が設けられるように曲げ加工されている。なお壁下地６は、腰壁、掃き出し窓の下壁、手摺下の壁などの防水床部１を囲うように立ち上がって配置されている壁の下地である。既設防水面材２の立ち上がり部２１は図示を省略するが、壁下地６にビス固定されている。また既設防水面材２の立ち上がり部２１の上端よりも上方に突き出すように立ち上がりシート２２が形成されており、立ち上がりシート２２は壁下地６に貼り付けられている。また、既設防水面材２の裏面には断熱材２３が貼り付けられている。防水層は例えば塩化ビニルシートであり、断熱材２３は例えばポリスチレン製の断熱材２３である。なお、既設防水面材２の材質は、上述のものに限定されるものではなく、例えば、鋼製薄板に変えて樹脂製の薄板であってもよく、また、防水層及び断熱材２３の材質も防水性・断熱性を有する材料であればどのようなものであってもよい。断熱材２３は左縁部から右縁部にかけて次第に厚く形成される勾配が形成されており、床下地３の上に配置される既設防水面材２は断熱材２３の勾配によって僅かに傾いて形成されている。
【００２０】
また、既設防水面材２が配置される床下地３は、建築物の躯体に取り付けられたＡＬＣの水平板である。既設防水面材２は床下地３の上に複数設けられており、端部が互いに隙間を開けて対向するように隣接させてその間に目地部２４が形成されている。既設防水面材２の間の目地部２４には、図２に示すように、目地部２４を閉塞するための目地閉塞部材２６が当該目地部２４に沿って設けられており、そして、目地閉塞部材２６の上には、既設帯状防水シート２５が既設の目地部２４に沿って上方から既設防水面材２の隣り合う縁部に跨って固着されている。既設帯状防水シート２５は例えば軟質塩化ビニル製シートを用いることができるが、これに限定されず防水性と耐久性を有する各種シートを用いることができる。
【００２１】
既設の防水床部１は、既設防水面材２の側縁に既設横樋５が設けられている。既設横樋５は、四角い箱樋であり、既設防水面材２の上面を流下してきた雨水を受けて、ドレイン口５１を介して図示しない竪樋に流すためのものである。この既設横樋５は、上向きに開口する溝部５２が形成された折板と、この折板の裏面側に設けられた断熱材５４からなる。折板は、表面に防水層として軟質塩化ビニルシートが設けられた鋼製薄板を、曲げ加工したものであって、溝部５２の既設防水面材２側の縁が水平方向に延出してフランジ面部５５が形成され、さらに下向きに屈曲した後にフランジ面部５５と平行に外側に延出して溝部５２の底面部が形成されている。また、折板の既設防水面材２と逆側の側縁には水平方向に延出した後に上向きに屈曲して樋立ち上がり部５６が形成されている。既設横樋５の溝部５２およびフランジ面部５５の裏面には、例えばポリスチレン製の断熱材５４が設けられており、フランジ面部５５に設けられた断熱材５４の下面が床下地３の上面に当接する。既設横樋５の溝部５２の底面部にはドレイン口５１が形成されており、図示しない竪樋と連通している。
【００２２】
既設防水面材２の側縁と既設横樋５のフランジ面部５５の突端の間には樋目地部５７が形成されている。この樋目地部５７は、図２に示すように、当該樋目地部５７を閉塞するための目地閉塞部材２６が当該樋目地部５７に沿って設けられており、そして、目地閉塞部材２６の上には、樋部既設防水シート５８が樋目地部５７に沿って上方から既設防水面材２と既設横樋５のフランジ面部５５とに跨って固着されている。樋部既設防水シート５８は、既設帯状防水シート２５と同一形状の例えば軟質塩化ビニル製シートを用いることができるが、これに限定されず防水性と耐久性を有する各種シートを用いることができる。
【００２３】
以上のように形成された既設の防水床部１を改修する際には、まず、図３に示すように、既設防水床部１の既設防水面材２の上から床下地３にビス７を打って、既設防水面材２と床下地３とを接合する。このようにビス７を打ち込むことで既設防水面材２にはビス孔が形成され、既設防水面材２の上から前記床下地３にビス７を打って、既設防水面材２と床下地３とを接合するので、既設防水面材２は、床下地３と一体化することになり、後述の通り新設防水面材４を固定する際に床下地３としての役割を果たすことができる。なお、既設防水面材２はビス７が貫通したとしても新設防水面材４で防水することになるので、防水性能に問題が生じることもない。
【００２４】
次に既設防水面材２の立ち上がり部２１から上方に突き出すように壁下地６に貼り付けられている立ち上がりシート２２を切断する。そして、既設防水面材２の間の目地部２４に沿って設けられている既設帯状防水シート２５を挟んで両側に平行に、当該既設帯状防水シート２５と同じ厚さの不陸調整用帯状シート８を、既設防水面材２の上面に固着する。また、樋目地部５７に沿って設けられている樋部既設防水シート５８に平行に既設横樋５のフランジ面部５５にも不陸調整用帯状シート８を固着する。
【００２５】
このように、既設防水面材２の上面の既設帯状防水シート２５が固着された位置を挟んで両側及び既設横樋５のフランジ面部５５に不陸調整用帯状シート８を固着するので、既設防水面材２の上に重ね合わせられる新設防水面材４は、その下面が既設帯状防水シート２５及び不陸調整用帯状シート８の上に載置されることとなり、新設防水面材４の上面に不陸が生じることを抑制でき、また、既設帯状防水シート２５を剥がす必要がないので改修工事をより容易なものとすることができる。
【００２６】
そして、次に、既設防水面材２の上方から、新たに新設防水面材４を嵌め合わせる。新設防水面材４は、図４及び図５に示すように、既設防水面材２と略同一形状に形成されている。新設防水面材４は、表面に例えば塩化ビニルシートの防水層が形成された鋼製薄板であり、端部に立ち上がり部４１が設けられるように曲げ加工されている。また、新設防水面材４の裏面には既設防水面材２と異なり、断熱材が貼り付けられていない。
【００２７】
また、既設横樋５の上に新設横樋９を設置する。新設横樋９は、既設横樋５の上に嵌めこんで固定可能な形状で、四角い箱樋であり、既設横樋５の溝部５２に挿入できる大きさの溝部９１が形成されて、表面に防水層として軟質塩化ビニルシートが設けられた鋼製薄板であり、溝部９１の新設防水面材４側の縁が水平方向に延出してフランジ面部９２が形成され、さらに下向きに屈曲した後にフランジ面部９２と平行に外側に延出して溝部９１の底面部が形成されている。また、既設防水面材２と逆側の側縁には水平方向に延出した後に上向きに屈曲して樋立ち上がり部９３が形成されている。なお、新設横樋９の溝部９１およびフランジ面部９２の裏面には、断熱材が設けられていない。そして、新設横樋９の溝部９１の底面部にはドレイン口９４が形成されており、既設横樋５のドレイン口５１と整合している。
【００２８】
次に、図６に示すように、新設防水面材４同士の目地部４２が設けられた縁部、及び新設防水面材４と新設横樋９との間の樋目地部９５が設けられた側縁部には、リベット孔１０を形成し、それぞれその下側に配置されている既設防水面材２及び既設横樋５にブラインドリベット１１で固定する。また、図示していないが、新設防水面材４の立ち上がり部４１及び新設横樋９の樋立ち上がり部９３はそれぞれ壁下地６にビスで固定する。
【００２９】
そして、次に、図７に示すように、新設防水面材４同士の目地部４２、新設防水面材４と新設横樋９との間の樋目地部９５に沿って、アルミテープを貼り付け、当該アルミテープの上に新設帯状防水シート４３を貼り付ける。新設帯状防水シート４３は少なくとも新設防水面材４同士の目地部４２が設けられた縁部、及び新設防水面材４と新設横樋９との間の樋目地部９５が設けられた側縁部に形成されてリベット１１が挿入されているリベット孔１０を覆うことのできる幅を有しており、当該リベット孔１０への雨水の浸入を防ぐことができる位置には新設防水面材４の上面にシーリング材を介して新設帯状防水シート４３が固着されている。また、新設横樋９同士の接合箇所にも、アルミテープが貼り付けられた上で、当該新設横樋９のフランジ面部９２から溝部９１の底面部までに、新設帯状防水シート４３が貼り付けられるとともに、溝部９１の底面部から樋立ち上がり部９３までに、その形状に折れ曲がった状態の成形防水シート９６が貼り付けられる。
【００３０】
その後、図８に示すように、フランジを有するドレイン管４４を上方から前記新設ドレイン口９４と前記既設ドレイン口５１に挿入して固定する。このように、本実施形態の防水床部の改修方法によると、ドレイン口９４周りの改修が容易であり、且つ、既設の竪樋などの既設ドレイン配管に確実に連通させることができる。そして、新設横樋９の溝部９１にフランジ面部９２の高さと面一になるスロープ蓋１２またはグレーチング１３を配置して防水床部１の改修を終了する。
【００３１】
以上のように、本実施形形態の防水床部の改修方法によると、既設防水面材２の上に同一形状の新設防水面材４を重ね合わせて配置するので、同じ防水仕様が重ねあわされており、異種の防水仕様のように防水性能に想定外の影響を及ぼすおそれがなく、防水性能への信頼性を高めることができる。
【００３２】
なお、本発明の実施の形態は上述の形態に限ることなく、本発明の思想の範囲を逸脱しない範囲で適宜変更することができることは云うまでもない。
【産業上の利用可能性】
【００３３】
本発明に係る防水床部の改修方法は、既設防水面材２からなるルーフバルコニー等の防水床部の改修に好適に用いることができる。
【符号の説明】
【００３４】
１      防水床部
２      既設防水面材
３      床下地
４      新設防水面材
５      既設横樋
６      壁下地
７      ビス
８      不陸調整用帯状シート
９      新設横樋
２５    既設帯状防水シート
４４    ドレイン管
【図１】
2018071140.tif 000003
【図２】
2018071140.tif 000004
【図３】
2018071140.tif 000005
【図４】
2018071140.tif 000006
【図５】
2018071140.tif 000007
【図６】
2018071140.tif 000008
【図７】
2018071140.tif 000009
【図８】
2018071140.tif 000010
【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
所定形状に形成され床下地上に敷設された既設防水面材が設けられる既設の防水床部の上に、新設防水面材を重ねて施工する防水床部の改修方法であって、
前記既設の防水床部は、前記床下地上に複数の前記既設防水面材が敷設されており、互いに隣接する前記既設防水面材の目地部に沿って上方から既設帯状防水シートが前記既設防水面材の隣り合う縁部に跨って固着されたものであり、
前記既設防水面材の上から前記床下地にビスを打って、前記既設防水面材と前記床下地とを接合し、
当該既設防水面材の上面の前記既設帯状防水シートが固着された位置と異なる位置に、当該既設帯状防水シートと略同じ厚さの不陸調整用帯状シートを新たに固着し、
前記既設防水面材の上に、当該既設防水面材と略同一形状の前記新設防水面材を嵌め合わせることを特徴とする防水床部の改修方法。
【請求項２】
前記不陸調整用帯状シートを、前記既設帯状防水シートが固着された位置を挟んで両側に固着することを特徴とする請求項１に記載の防水床部の改修方法。
【請求項３】
所定形状に形成され床下地上に敷設された既設防水面材が設けられる既設の防水床部の上に、新設防水面材を重ねて施工する防水床部の改修方法であって、
前記既設の防水床部は、前記既設防水面材の側縁に既設横樋が設けられたものであり、
前記既設防水面材の上から前記床下地にビスを打って、前記既設防水面材と前記床下地とを接合し、
前記既設防水面材の上に、当該既設防水面材と略同一形状の前記新設防水面材を嵌め合わせ、
前記既設横樋の上に新設横樋を設置するとともに、
前記新設横樋に形成される新設ドレイン口が前記既設横樋の既設ドレイン口と整合しており、
フランジを有するドレイン管を上方から前記新設ドレイン口と前記既設ドレイン口に挿入して固定することを特徴とする防水床部の改修方法。
【手続補正２】
【補正対象書類名】明細書
【補正対象項目名】０００８
【補正方法】変更
【補正の内容】
【０００８】
本発明の防水床部の改修方法は、所定形状に形成され床下地上に敷設された既設防水面材が設けられる既設の防水床部の上に、新設防水面材を重ねて施工する防水床部の改修方法であって、前記既設の防水床部は、前記床下地上に複数の前記既設防水面材が敷設されており、互いに隣接する前記既設防水面材の目地部に沿って上方から既設帯状防水シートが前記既設防水面材の隣り合う縁部に跨って固着されたものであり、前記既設防水面材の上から前記床下地にビスを打って、前記既設防水面材と前記床下地とを接合し、当該既設防水面材の上面の前記既設帯状防水シートが固着された位置と異なる位置に、当該既設帯状防水シートと略同じ厚さの不陸調整用帯状シートを新たに固着し、前記既設防水面材の上に、当該既設防水面材と略同一形状の前記新設防水面材を嵌め合わせることを特徴としている。
【手続補正３】
【補正対象書類名】明細書
【補正対象項目名】０００９
【補正方法】削除
【補正の内容】
【手続補正４】
【補正対象書類名】明細書
【補正対象項目名】００１１
【補正方法】変更
【補正の内容】
【００１１】
本発明の防水床部の改修方法は、所定形状に形成され床下地上に敷設された既設防水面材が設けられる既設の防水床部の上に、新設防水面材を重ねて施工する防水床部の改修方法であって、前記既設の防水床部は、前記既設防水面材の側縁に既設横樋が設けられたものであり、前記既設防水面材の上から前記床下地にビスを打って、前記既設防水面材と前記床下地とを接合し、前記既設防水面材の上に、当該既設防水面材と略同一形状の前記新設防水面材を嵌め合わせ、前記既設横樋の上に新設横樋を設置するとともに、前記新設横樋に形成される新設ドレイン口が前記既設横樋の既設ドレイン口と整合しており、フランジを有するドレイン管を上方から前記新設ドレイン口と前記既設ドレイン口に挿入して固定することを特徴としている。